(57)【要約】  【課題】ゴルフクラブヘッドの打撃性能や外観を損なうことなく、磁気センサを用いるヘッドスピード測定装置で、ゴルフクラブのヘッドスピードを安全かつ容易に測定することができるゴルフクラブヘッドを提供する。  【解決手段】ゴルフクラブヘッド１０は、磁気発生源を有する板部材７０と、表面に凹部８０を形成するゴルフクラブヘッド本体６０と、を有し、板部材７０を凹部８０に貼着する。また、凹部８０とりまく凹部８０周りのゴルフクラブヘッド本体の表面と板部材７０の表面とは略面一になっている。また、凹部８０の輪郭が、板部材７０と略同一となっている。また、板部材は、識別情報を有する。また、凹部８０のゴルフクラブヘッド本体６０における位置が、ゴルフクラブヘッド本体６０のトウ側にある。【選択図】図１
2006116049.tif 000002
【特許請求の範囲】
【請求項１】
磁気発生源を有する部材と、
表面に凹部が形成されたゴルフクラブヘッド本体と、を有し、
前記ゴルフクラブヘッド本体に形成された前記凹部に、前記磁気発生源を有する部材が設けられて一体化されたことを特徴とするゴルフクラブヘッド。
【請求項２】
前記磁気発生源を有する部材が板部材であり、この板部材が前記凹部に貼着されている請求項１に記載のゴルフクラブヘッド。
【請求項３】
前記凹部を周りのゴルフクラブヘッド本体の表面と、前記凹部に貼着された磁気発生源を有する部材の表面とが、略面一となっている請求項２に記載のゴルフクラブヘッド。
【請求項４】
前記板部材の輪郭形状が、前記凹部の輪郭形状と略同一となっている請求項１〜３のいずれか１項に記載のゴルフクラブヘッド。
【請求項５】
前記磁気発生源を有する部材が、識別情報を有する請求項１〜４のいずれか１項に記載のゴルフクラブヘッド。
【請求項６】
前記ゴルフクラブヘッドは中空ゴルフクラブヘッドであり、
前記凹部は、中空ゴルフクラブヘッドの外殻を貫通する貫通孔であり、
前記磁気発生源を有する部材は保護シートに貼着されており、この保護シートは前記貫通孔の周状のゴルフクラブヘッドに貼着されている請求項１に記載のゴルフクラブヘッド。
【請求項７】
前記凹部の前記ゴルフクラブヘッド本体における位置が、前記ゴルフクラブヘッド本体のトウ側にある請求項１〜６のいずれか１項に記載のゴルフクラブヘッド。
【発明の詳細な説明】
【技術分野】
【０００１】
本発明は、ゴルフクラブに用いられるゴルフクラブヘッドに関する。
【背景技術】
【０００２】
従来、ゴルフボールの飛距離はゴルフクラブのヘッドスピードと略相関することが知られていることから、ゴルフクラブのヘッドスピードを測定することで、ゴルフボールの飛距離を概算して予測することが広く行われている。
【０００３】
このゴルフクラブのヘッドスピードを測定するためのヘッドスピード測定装置は種々提案されているが、特に磁気センサを用いたヘッドスピード測定装置は、他のヘッドスピード測定装置と比べ、安価に作製することができ、さらに測定方法が簡単でありながら比較的精度がよいことから、広く市販され、ゴルフ場やゴルフ用品店等に設置されている。また、近年では個人で使用できる携帯可能な測定装置も知られている。
【０００４】
この磁気センサを用いてゴルフクラブのヘッドスピードを測定する装置として、本願出願人の特許出願により開示されたゴルフクラブのヘッドスピード測定装置がある。（特許文献１）
この測定装置は、ゴルフクラブヘッドのトウ側表面に貼付けた例えば板状の磁石と、この磁石が通過した時の誘起電力のレベルを測定する磁気センサ（センサーコイル）及び制御回路（演算処理部，表示制御部等）を備えた測定器とで構成され、測定器の近傍で、ゴルフクラブヘッドのトウ側表面に磁石を貼り付けたゴルフクラブをスウィングすると、このゴルフクラブヘッドのトウ側表面に貼付けた磁石が通過する時の誘起電力のレベルをセンサーコイルが検出し、これを演算処理部を介して、ゴルフクラブヘッドのヘッドスピートが表示制御部に表示されるようになっている。
【０００５】
【特許文献１】特許第３０７３８２８号公報
【０００６】
上述の磁気センサを備えたヘッドスピード測定装置により、ゴルフクラブのヘッドスピードを測定する場合には、測定前に磁石をゴルフクラブヘッドのトウ側表面に、例えば両面テープで貼り付け、このゴルフクラブを測定装置の近傍でスウィングして、このゴルフクラブヘッドのトウ側表面に貼付けた磁石が測定装置の近傍を通過する時の誘起電力のレベルをセンサーコイルが検出し、これを演算処理部を介することにより、ゴルフクラブのヘッドスピートが表示制御部に表示される。そして、測定終了後にはゴルフクラブヘッドのトウ側表面から磁石を剥がして、ゴルフのプレイに使用する。このように、磁石は測定のたびに、ゴルフクラブヘッドのトウ側表面に貼り付け、測定後には剥がさなければならない。
【０００７】
ところが、測定のたびに磁石をゴルフクラブヘッドのトウ側表面に貼り付けて剥がすことを繰り返していると、磁石に貼り付けた両面テープの貼付力が低下してしまい、測定のためにスウィングした時、遠心力やゴルフボールをインパクトしたときの衝撃力により、ゴルフクラブヘッドのトウ側表面から磁石が剥がれ、飛び散ってしまう場合がある。
【０００８】
また、貼着力が低下した両面テープを新しくする場合には、貼着力が低下してしまった両面テープを剥がした後、磁石の形状に合わせて両面テープを取り替える必要があるため、作業に手間がかかってしまう。このようなことから、実際には新しい両面テープが貼り付けられた新しい磁石を貼り付けてヘッドスピードの測定をしており、実質的に磁石は消耗品となっている。
【０００９】
また、磁石をゴルフクラブヘッドに貼り付けると本来のゴルフクラブヘッドの重心位置が変わり、ゴルフをプレイする時のゴルフクラブヘッドと特性が変わってしまう。このため、磁石を貼り付けたゴルフクラブを用いて行うヘッドスピード測定では、ゴルフスウィングが本来のゴルフスウィングと異なったものとなり、本来のゴルフスウィングのヘッドスピードの測定ができないという問題があった。
【００１０】
また、ゴルフクラブヘッドのトウ側表面に貼り付けた磁石は、トウ側表面から突出していることから、ゴルフクラブをスウィングする時に、ゴルフクラブヘッドの空気抵抗を大きし、スウィングの妨げになる。
【００１１】
また、ゴルフクラブヘッドはゴルフボールを飛ばす打撃性能とは別に、デザインや外観形状も重視される。しかし、磁石を剥がした後に両面テープがゴルフクラブヘッドに付着して見栄えの悪いものとなってしまうといった問題もある。
【発明の開示】
【発明が解決しようとする課題】
【００１２】
そこで、本発明は上記問題点を解消するために、ゴルフクラブヘッドの打撃性能や外観等の見栄えを損なうことなく、ゴルフクラブのヘッドスピードを安全かつ容易に測定することができるゴルフクラブヘッドを提供することを目的とする。
【課題を解決するための手段】
【００１３】
上記目的を達成するために、本発明は、磁気発生源を有する部材と、表面に凹部が形成されたゴルフクラブヘッド本体と、を有し、前記ゴルフクラブヘッド本体に形成された前記凹部に、前記磁気発生源を有する部材が設けられて一体化されたことを特徴とするゴルフクラブヘッドを提供する。なお、前記凹部には、溝底を有する段差の付いた凹形状の段溝の他、貫通孔も含まれる。
【００１４】
ここで、前記磁気発生源を有する部材は、板部材であり、この板部材が前記凹部に貼着されているのが好ましい。この場合、前記凹部を周りのゴルフクラブヘッド本体の表面と、前記凹部に貼着された磁気発生源を有する部材の表面とが、略面一となっているのが好ましい。また、前記磁気発生源を有する部材が、板部材であるのが好ましい。この場合、前記板部材の輪郭形状が、前記凹部の輪郭形状と略同一となっているのが好ましい。
【００１５】
また、前記磁気発生源を有する部材が、識別情報を有するのも好ましい。
さらに、前記ゴルフクラブヘッドは中空ゴルフクラブヘッドであり、前記凹部は、中空ゴルフクラブヘッドの外殻を貫通する貫通孔であり、前記磁気発生源を有する部材は保護シートに貼着されており、この保護シートは前記貫通孔の周状のゴルフクラブヘッドに貼着されていることも同様に好ましい。
さらに、前記部材には、外部からの電波を駆動源とし、自ら保持する情報を応答信号として送信するトランスポンダやＩＣカードが内蔵されてもよい。
【００１６】
なお、前記凹部の前記ゴルフクラブヘッド本体における位置は、前記ゴルフクラブヘッド本体のトウ側にあるのが好ましい。
【発明の効果】
【００１７】
本発明によれば、ゴルフクラブヘッド本体の表面に形成された凹部に磁気発生源を有する部材を設けるので、このゴルフクラブヘッドを有するゴルフクラブは、ヘッドスピードの測定のために磁石を取り付けなくても磁気センサを用いたヘッドスピード測定装置の近傍でスイングすることにより、ヘッドスピードを測定することができる。さらに、磁石を着脱する必要がなくなるので、従来のようにゴルフクラブヘッドの重心位置が変化しないことから、ゴルフのプレイに使用するのと同じ状態で、ヘッドスピードの測定ができる。
【００１８】
また、凹部をとりまくゴルフクラブヘッド本体の表面と、この凹部に貼着した磁気発生源を有する部材の表面とを略面一とするので、あるいは、磁気発生源を有する部材の輪郭形状を凹部の輪郭形状と略同一とするので、磁気発生源を有する部材を凹部の輪郭に沿って位置決めされるので、ゴルフクラブをスウィングした時に余分な空気抵抗が発生しない。
また、板部材にはブランドデザイン等の識別情報が標示され、他のゴルフクラブとの識別を容易にすることができる。
【発明を実施するための最良の形態】
【００１９】
以下、本発明のゴルフクラブヘッドについて、添付の図面に示される好適実施例を基に詳細に説明する。
【００２０】
図１（ａ）および（ｂ）は、本発明のゴルフクラブヘッドを有するゴルフクラブの一実施形態例の概略を示す図であり、図１（ａ）はゴルフクラブヘッドのトウ側から、図１（ｂ）はゴルフクラブヘッドのフェース面の方向からそれぞれゴルフクラブ１０を見た図である。
【００２１】
図１に示すゴルフクラブ１０は、ゴルフクラブシャフト２０と、ゴルフクラブヘッド３０と、ソケット４０とを有して構成される。
【００２２】
図１において、ゴルフクラブシャフト２０は、上端部にグリップ（図示せず）が装着され、下端部にソケット４０が組み込まれた後、ゴルフクラブヘッド３０のホーゼル５０のシャフト穴（図示せず）に挿入され、接着剤で固定されている。ソケット４０は、ゴルフクラブシャフト２０とホーゼル５０のつなぎの部分に填め込んである樹脂材からなる筒状の部材からなり、ゴルフクラブシャフト２０とホーゼル５０の接続部分の保護と、ゴルフクラブ１０を装飾するために設けられている。本発明においては、ソケット４０は、特に設けられなくてもよい。
【００２３】
ゴルフクラブヘッド３０は、ゴルフクラブヘッド本体６０と板部材７０とを有し、ゴルフクラブヘッド本体６０のトウ側の表面に形成された凹部８０に磁気発生源を有する板部材７０が粘着剤により貼着されゴルフクラブヘッド本体６０と一体化されている。
ゴルフクラブヘッド本体６０とは、ソール部６０ａ、クラウン部６０ｂ、サイド部６０ｃ、フェース部６０ｄおよびホーゼル５０によって構成される部分をいう。
【００２４】
図２（ａ）および（ｂ）は、ゴルフクラブヘッド本体６０の概略を示す図であり、図２（ａ）はトウ側から、図２（ｂ）はフェース部６０ｄのフェース面に対向する方向から、それぞれゴルフクラブヘッド本体６０を見た図であり、ゴルフクラブヘッド本体６０のトウ側の表面に、段差の付いた段差溝である凹部８０が形成されていることを図示している。
なお、凹部８０が形成されているトウ側の表面とは、ゴルフクラブでゴルフボールの打撃時に、地面に対向するソール部６０ａと、このソール部６０ａに対向した湾曲状のクラウン部６０ｂとに挟まれたサイド部６０ｃの表面の一部分であって、ゴルフスウィングを行うゴルファに対峙してゴルフクラブヘッドを見たときに見えるサイド部６０ｃの表面である。
【００２５】
板部材７０は凹部８０に貼着されて一体化されており、凹部８０をとりまく凹部８０周りのサイド部６０ｃの表面と板部材７０の表面とが略面一になっている。さらに、板部材７０の輪郭形状は凹部８０の輪郭形状と略一致するように形成されている。このため、板部材７０は凹部８０の輪郭形状に沿って隙間無くぴったりと係合して位置決めされて貼着され、ゴルフクラブヘッドのトウ側表面の形状を滑らかな形状にすることができ、空気抵抗の増加を抑えるほか、板部材７０が凹部８０から剥離し難くすることができる。
なお、凹部８０は、凹部８０をとりまく凹部８０周りのサイド部６０ｃの曲面に対して段差を持って、凹部底面８０ａが形成されている。板部材７０は、この凹部底面８０ａに粘着剤で貼着されてゴルフクラブヘッド本体６０と一体化されている。
本実施例では、板部材７０の表面は凹部８０周りのサイド部６０ｃの表面と面一となっているが、本発明においては、板部材７０の表面が、凹部８０周りのサイド部６０ｃの表面に対して、一部分あるいは全体が突出あるいは凹んでいるものであってもよい。
【００２６】
ゴルフクラブヘッド本体６０に形成される凹部８０の位置は、ゴルフクラブヘッド本体６０のトウ側表面に限定されず、上述のゴルフクラブのヘッドスピード測定装置で測定が可能で、ゴルフボールを打撃するフェース部６０ｄ以外であれば凹部の位置は特に限定されない。
【００２７】
図３は、磁気発生源を有する板部材７０を示す。
板部材７０は、フェライト（鉄フェライト、コバルトフェライトまたはマンガンフェライト等）をゴム材料に配合した磁石で形成されていて、上述のゴルフクラブのヘッドスピード測定装置で、磁気センサが感知できる磁力（最大エネルギー積）を得る、一定の厚さ（０．５〜２ｍｍ）と一定の面積（縦５ｍｍ、横３０ｍｍ程度）を形成している。
また、板部材７０は、凹部８０と面する側と反対側の面に、ブランドデザインが識別情報として施されて、他のゴルフクラブとの識別が容易にできるようになっている。
【００２８】
なお、本実施例では、板部材７０がフェライトをゴム材料に配合した磁石で形成されているとしたが、上述のゴルフクラブのヘッドスピード測定装置で磁気センサが感知できる磁力を板部材７０の一部が有するものであれば、他の材質でもよい。
また、板部材７０の表面にはブランドデザインの標示が施されているが、例えば符号、記号、文字、図柄等、他のいかなる識別情報が施されてもよい。
さらに、板部材７０に外部からの電波を駆動源として、自ら保持する情報を応答信号として発信するトランスポンダやＩＣカードが内蔵されてもよい。なお、保持する情報として、ゴルフクラブヘッドの製造日時や製造場所等の各種情報があげられる。また、保持する情報は書き換え可能な情報であってもよい。
【００２９】
この磁気発生源を有する板部材７０は、ゴルフクラブをスウィングしたときの遠心力やゴルフボールをインパクトしたときの衝撃力でもゴルフクラブヘッド本体６０のトウ側表面に形成された凹部８０から剥がれないように、粘着剤で凹部８０に貼着されている。このため、このゴルフクラブヘッド１０を有するゴルフクラブ２０は、磁気センサが感知できる磁力を有するので、上述のヘッドスピード測定装置の近傍においてスイングすることにより、そのヘッドスピードを測定することができる。
また、磁石をヘッドスピード測定の前に貼り付け、測定後に剥がす必要がなくなるので、ゴルフクラブヘッドの重心位置が従来のように移動することがなく、ゴルフをプレイする時と同様のゴルフスウィングで、ヘッドスピードの測定ができる。
【００３０】
なお、本実施例では、磁気発生源を有する板部材７０を凹部８０に貼着するための方法として粘着剤を使用したが、ゴルフクラブをスウィングしたときの遠心力やゴルフボールをインパクトしたときの衝撃力に耐えられる強度に、板部材７０を凹部８０に貼り付けることができれば、接着剤や両面テープなどを用いて貼着してもよく、貼着方法は特に制限されない。また、ネジなどで機械的に組み付けてもよい。
【００３１】
また、ゴルフクラブヘッド本体６０が鋳造作製された中空ゴルフクラブヘッドである場合には、ゴルフグラブヘッド内に鋳型の砂が少量残存するため、ゴルフクラブヘッドを手にして振ったときに微少音が聞こえる場合がある。
そこで、図４（ａ）および（ｂ）に示すように、前述の凹部８０の中央に、板部材７０の外形を２分の１程度に縮小した形状に切り欠き穴９０を設ける構造としてもよい。この切り欠き穴９０を設けた凹部８０に、標示面の裏全面に粘着剤を塗布した板部材７０を貼着すると、この切り欠き穴９０は板部材７０で閉塞されるとともに、板部材７０に塗布した粘着剤の面が、ゴルフクラブヘッドの中空部に面するので、ゴルフクラブヘッド内の砂がこの切り欠き部９０の粘着剤に貼り付き、微少音を減少することができる。なお、図４（ａ）はゴルフクラブヘッドのトウ側から切り欠き穴９０を見た図であり、図４（ｂ）は図４（ａ）に示すＡ−Ａ部の断面を示す図である。
なお、本実施例では、凹部８０の中央に板部材７０の外形を２分の１程度に縮小した形状に切り欠き穴９０を設けたが、凹部８０から板部材７０が剥がれることなく、中空内部の砂が粘着剤に貼り付くことができる切り欠き穴であれば、凹部８０のいかなる位置でもよく、いかなる形状でもよい。
【００３２】
また、図５（ａ）および（ｂ）に示すように、ゴルフクラブヘッドは中空ゴルフクラブヘッドである場合、凹部８０は中空ゴルフクラブヘッドの外殻を貫通する貫通孔であり、磁気発生源を有する板部材７０は保護シート１００に貼着され、この保護シート１００は貫通孔の周状のゴルフクラブヘッドに貼着されていてもよい。すなわち、磁気発生源を有する板部材７０をゴルフクラブヘッド本体６０のトウ側表面の貫通孔を形成する凹部８０に配置した後、板部材７０の外形より大きい保護シート１００を、板部材７０を覆い隠すように、ゴルフクラブヘッド本体６０の凹部８０の周りへ貼り付けることにより、磁気発生源を有する板部材７０をゴルフクラブヘッド本体６０のトウ側に設けることもできる。この場合、ブランドデザイン等の標示は、板部材７０の表面ではなく、保護シート１００の表面に施す。また、保護シート１００は、ゴルフクラブをスウィングしたときの遠心力やゴルフボールをインパクトした時の衝撃力でも、板部材７０が凹部８０から外れることがない強度及び接着力を有する。なお、図５（ａ）はゴルフクラブヘッド１０のトウ側から保護シート１００を見た図であり、図５（ｂ）は図５（ａ）に示すＢ−Ｂ部の断面を示す図である。
【００３３】
なお、本実施例として、ゴルフクラブヘッドをウッド系ゴルフクラブヘッドとして説明したが、本発明ではウッド系ゴルフクラブヘッドに限らず、アイアンのゴルフクラブヘッドであってもよい。
さらに、本実施例では、磁気発生源を有する部材は、板部材としたが、本発明では板部材に特に限定されない。
以上、本発明のゴルフクラブヘッドについて詳細に説明したが、本発明は上記実施例に限定はされず、本発明の趣旨を逸脱しない範囲において、各種の改良及び変更を行ってもよいのはもちろんである。
【図面の簡単な説明】
【００３４】
【図１】（ａ）および（ｂ）は、本発明のゴルフクラブヘッドを有するゴルフクラブの一実施形態例の概略を示す構成図である。
【図２】（ａ）および（ｂ）は、図１に示すゴルフクラブヘッド本体の概略を示す図である。
【図３】図１に示す磁気発生源を有する板部材の概略を示す図である。
【図４】（ａ）および（ｂ）は、図１に示すゴルフクラブヘッド本体の他の例の概略を示す図である。
【図５】（ａ）および（ｂ）は、本発明のゴルフクラブヘッドの他の実施形態例の概略を示す構成図である。
【符号の説明】
【００３５】
１０  ゴルフクラブヘッド
２０  ゴルフクラブ
３０  ゴルフクラブシャフト
４０  ソケット
５０  ホーゼル
６０  ゴルフクラブヘッド本体
７０  磁気発生源を有する板部材
８０  凹部
９０  切り欠き穴
１００  保護シート
【図１】
2006116049.tif 000003
【図２】
2006116049.tif 000004
【図３】
2006116049.tif 000005
【図４】
2006116049.tif 000006
【図５】
2006116049.tif 000007